(57)【要約】      （修正有）【課題】吸盤の取付、並びに取り外しが、ロール自体を分解することなく、機械に装着のままで可能であり、確実安全に且つ迅速にメンテナンスを完了することができる搬送用吸盤取付ロールを提供する。【解決手段】吸盤７の脚部９をロール１表面の一方から他方へ貫通して開けられたロール貫通孔５に挿入されたスプリングピン６を介してロールに固定したことを特徴とする搬送用吸盤取付ロールである。【選択図】図３
0003149661.tif 000002
【実用新案登録請求の範囲】
【請求項１】
ロール表面からロール回転軸中心方向に開けられて吸盤脚部をロール内に嵌合して収納するための吸盤脚部収納穴と上記吸盤脚部収納穴に直交してロール表面の一方から他方へ貫通して開けられたロール貫通孔と上記吸盤脚部に開けられた吸盤脚部孔と上記ロール貫通孔とを貫いて挿入されたピンとからなり、上記ピンを介して吸盤をロールに固定することを特徴とする搬送用吸盤取付ロール。
【請求項２】
上記ピンとしてスプリングピンを用いることによって吸盤をロール表面に固定することを特徴とする請求項１記載の搬送用吸盤取付ロール。
【請求項３】
上記ピンの表面に雄ねじを切り、更に上記ロール貫通孔に雌ねじを切り、ロールに捻じ込まれたピンを介して吸盤をロールに固定することを特徴とする請求項１記載の搬送用吸盤取付ロール。
【考案の詳細な説明】
【技術の分野】
【０００１】本考案は、回転ロールへの吸盤を取付るための手段に関するものである。
【背景技術】
【０００２】例えば、電極アレーに形成した複数の荷電粒子通過部を通過する荷電粒子を記録媒体に付着させて画像を記録する画像記録装置において、アルミなどの金属製電極ロールの表面に、保持手段としての多数の吸盤が設けられている。これは記録媒体の荷電粒子通過部への接触を防止するためのものである。即ち背面電極ローラの吸盤と記録媒体である記録用紙との間の空気が追い出されてその部分が密閉されて空気の侵入が無くなることにより（気密状態となることにより）、吸盤に吸い付くことになり上記目的が達せられる。
例えば、従来は、吸盤はロールに接着剤などによって取付けられていた。この接着剤の疲労老化現象によって吸盤は脱落状態になり使用不能の状態が発生していた。この脱落防止対策として、本考案者はロール回転軸を中心に回転可能な搬送用吸盤取付ロールの両端面に貫通して穿孔され、ロール回転軸に並行に形成されたロール貫通孔と、ロール表面に、ロール回転軸中心に向かって穿孔され、且つ、ロール貫通孔に連通するロール表面穴部と、吸着部の背面に突出形成された脚部を有し、その脚部に吸盤貫通孔が形成された脚部が、ロール表面穴部に挿入された吸盤とロール貫通孔と吸盤貫通孔とを貫いて挿入されたピンとからなり吸盤をロール表面に固定することを特徴としてピンを用いて機械的に吸盤をロールに固定する手段をこれまでに提案した。
【特許文献】特開平９−１８５１号公報
【特許文献】実用新案登録第３１４１２４２号公報
【考案の開示】
【考案が解決しようとする課題】
【０００３】本考案者による、吸盤をロールに取付け方法手段は、胴の短い場合には適応していたが、胴長の長尺ロールの場合、ロールの一方の端面から他方の端面までロール貫通孔を開けるためには長いドリルが必要であるが、このドリルの入手が困難であるために、長尺ロールを輪切り状に分割する必要があった。且つ、工作加工方法も困難な上、メンテの時間も大巾に必要であったものを、容易に解決しようとするものである。
【課題を解決するための手段】
【０００４】上記課題を解決するため、ロール貫通孔をこれまでのロールの両端面に貫通して穿孔するのではなく、ロールの表面に貫通孔を設けここにピンを挿入してロール表面に吸盤を固定することを可能にしたものである。【０００５】上記の目的を達成するために本考案の、請求項１記載の搬送用吸盤取付ロールは、ロール表面からロール回転軸中心方向に開けられて吸盤脚部をロール内に嵌合して収納するためのの吸盤脚部収納穴と上記吸盤脚部収納穴に直交してロール表面の一方から他方へ貫通して開けられたロール貫通孔と上記吸盤脚部に開けられた吸盤脚部孔と上記ロール貫通孔とを貫いて挿入されたピンとからなり、上記ピンを介して吸盤をロールに固定することを特徴とする搬送用吸盤取付ロール。このようにロール回転軸の表面に、吸盤脚部収納穴を中心にしてロール回転方向の前後にピン挿入孔を設けることにより、胴長の長尺ロールの軸に吸盤を自在位置に装着できる。【０００６】また、請求項２記載の搬送用吸盤取付ロールは請求項１記載のピンとしてスプリングピンを用いることによって吸盤をロール表面に容易に固定することを特徴とする。スプリングピンはパイプ状の弾性をもつ金属をＣ形にしたもので、挿入する孔の孔径よりもやや太くしてしている、そのため孔に挿入されたスプリングピンは、自身のもつ拡張弾性により孔に密着して固定される。このスプリングピンは、手近にある釘のような金属棒を打ち込むだけで安易にロール孔から抜き取ることが出来るため機能失格吸盤の交換は容易迅速に行うことが出来る効果がある。【０００７】更に、請求項３記載の搬送用吸盤取付ロールは、請求項１記載のピンとして一端部分に雄ねじを切り反対側に六角穴又は溝を持ったピンを用い、更に上記ロール貫通孔に雌ねじを切ることによって吸盤を回転ロール表面に固定することを特徴とする。雄ねじと六角穴又は溝を持つピンは棒状にして前記貫通孔の雌ねじに捻じ込むことによってピンは、孔に固定される。この雄ねじ付ピンの他端に六角穴または溝を切ることによって、手近にあるドライバーなどをピンの溝に当てて回転させることにより抜き替えは甚だ容易に行うことが出来る効果がある。
【考案の効果】
【０００８】上記の構成を備えた本考案は、胴長の長尺ロールにおいて従来のようにロール自体の分割していたものをピンまたはスプリングピンをもつことにより甚だ容易に確実に吸盤はロール表面に固定されるまた、雄ねじを持つピンが雌ねじの穴に捻じ込まれることによって、吸盤はロール表面に容易確実に固定される。このことによって吸盤の取付、並びに取り外しは、ロール自体を分解することなく、機械に装着のままで、交換取付が可能であるため確実安全に且つ、速迅にメンテナンスを完了することが出来る。
【考案を実施するための最良の形態】
【０００９】以上述べたように本考案の請求項１から３記載の搬送用吸盤取付ロールの取付手段は、最良の形態を実現したものである。
次に図面を用いて本考案のうち、ピンを用いた吸盤固定手段について説明する。
図１は本考案の斜視図である。搬送用ロール１において、ロール表面３に吸盤７の吸盤脚部９（図示せず）が嵌合する吸盤脚部収納穴４をロール回転軸２の中心方向に向かって設けたるに、吸盤脚部９（図示せず）が吸盤脚部収納される。
吸盤脚部９（図示せず）の吸盤脚部孔１０（図示せず）に直交する形でロール表面にロール貫通孔５を設け、ここにピン６を挿入して吸盤７が搬送用吸盤取付ロール２に固定される。
以下に更に詳細に説明する。
図２はロール貫通孔５を持つ回転軸の一部断面を示す。吸盤脚部９を嵌合する吸盤脚部収納穴４はロール回転軸の中心に向かって穿孔され、この吸盤脚部収穴４の表面の円周方向に一方から他方に貫通して開けられたロール貫通孔５にピン６を挿入する。
このピン６は吸盤脚部孔１０（図示せず）を貫いて挿入されて吸盤７が搬送用ロール１に固定される。
図３搬送用ロール１を正面より見た図で一部断面図である。
ロール貫通孔５が吸盤脚部９を収容する吸盤脚部収納穴部４の前後（回転方向に対して）一方の端面３から他方端面３′を貫通して穿孔されている。このロール貫通孔５にピン６が挿入され吸盤７が搬送用吸盤取付ロール１に固定される。
図４はロール貫通孔５と吸盤脚部９（図示せず）を収容する吸盤脚部収納穴４の断面を示す。
ロール貫通孔５は、回転軸２に直角方向にロール両端面３．３′を貫通して穿孔されている。
一方吸盤脚部９（図示せず）を嵌合する収容穴４は回転軸２の中心に向かって穿孔されている。
図５は吸盤７の断面図である。吸盤吸着部８の背面に突出された吸盤脚部９にピン６（図示せず）が嵌合する吸盤取付孔１０が形成されている。吸盤は樹脂、例えば（塩化ビニール樹脂）あるいは（ＰＶＣ樹脂）製等である。
さらに図６はピン６による吸盤固定状況断面図をしめす。図４に示した吸盤脚部収納穴４に図５に示した吸盤７を挿入し、続いて吸盤７の吸盤脚部孔１０の中心と図４のロール貫通孔５の中心を合わせるとともにロールの一端面３よりピン６を挿入してピン６を介して搬送用ロール１に吸盤７を固定する。
図７はピンの一種である、スプリングピン６′の拡大図ある。スプリングピン６′は金属製でパイプ状をＣ形の断面にしたもので拡張性の弾力によって貫通孔に挿入された場合強振動に対しても、密着固定する。
図８は雄ねじピン挿入前のロール貫通孔断面を示す。ロール貫通孔５の一部には雌ねじ１１が切られている。
図９は雄ねじが切られたピン１２を示す。ピン１２の一端に適宜長さに雄ねじ１３を切り、例えば他の一端にプラスまたはマイナスドライバー挿入溝１４が切られている。六角穴なども適応できる。
図１０は雄ねじと溝が切られたピンにによる吸盤固定状況断面を示す。前述の図８のピンとして雄ねじと溝が切られたピン１２を介して搬送用ロール１に吸盤７を固定する。
【図面の簡単な説明】
【００１０】
【図１】本考案の実施例１の斜視図である。
【図２】ロール貫通孔とロール表面穴部の断面を示す。
【図３】吸盤組立の貫通孔の一部断面の正面図である。
【図４】ロール貫通孔と吸盤脚部収納穴の断面を示す。
【図５】貫通孔を持つ吸盤の断面図である。
【図６】スプリングピンによる吸盤固定状況断面を示す。
【図７】スプリングピンの拡大図である。
【図８】雄ねじピンを使用した場合のロール貫通孔断面を示す。
【図９】雄ねじと溝が切られたピンを示す。
【図１０】雄ねじと溝が切られたピンによる吸盤固定状況断面図を示す。
【符号の説明】
【００１４】１    搬送用ロール
２    ロール回転軸
３    ロール端面
３′  〃
４    吸盤脚部収納穴
５    ロール貫通孔
６    ピン
６′  スプリングピン
７    吸盤
８    吸盤吸着部
９    吸盤脚部
１０  吸盤脚部孔
１１  雌ねじ付孔
１２  雄ねじ・溝付きピン
１３  雄ねじ
１４  ドライバー挿入溝
【図１】
0003149661.tif 000003
【図２】
0003149661.tif 000004
【図３】
0003149661.tif 000005
【図４】
0003149661.tif 000006
【図５】
0003149661.tif 000007
【図６】
0003149661.tif 000008
【図７】
0003149661.tif 000009
【図８】
0003149661.tif 000010
【図９】
0003149661.tif 000011
【図１０】
0003149661.tif 000012